(57)【要約】【課題】  ティッシュ箱やキッチンペーパーの収容箱等の箱体以外の小物の収納にも適し、ティッシュ箱等の箱体を収納したり交換するときは、その操作を簡単化、迅速化でき、使い勝手が良くなるようにする。【解決手段】  箱体１の収納部２を、箱体１の収容物取出口１ａを前側にして箱体１を左右方向から差込み自在に、且つ箱体１の前方への移動を防止する係止部５を備えて形成する。この場合、収納部２の底面部２ａは、収納状態の箱体１の収容物取出口１ａの位置より前方に突き出して棚状に形成するのが良い。【選択図】      図１
2010142396.tif 000002
【特許請求の範囲】
【請求項１】
箱体の収納部を備えて形成されているキャビネットであって、上記の収納部が、箱体の収容物取出口を前側にして箱体を左右方向から差込み自在に、且つ箱体の前方への移動を防止する係止部を備えて形成されていることを特徴とする箱体の収納機能付きキャビネット。
【請求項２】
請求項１記載のキャビネットであって、収納部の底面部が、収納状態の箱体の収容物取出口の位置より前方に突き出されて棚状に形成されていることを特徴とする箱体の収納機能付きキャビネット。
【請求項３】
請求項２記載のキャビネットであって、箱体の収容物取出口の前側にあたる収納部の底面部の位置が、凸段差状に立ち上げられると共に、左右方向に凹溝状に延びて物品載置部に形成されていることを特徴とする箱体の収納機能付きキャビネット。
【請求項４】
請求項３記載のキャビネットであって、物品載置部がキャビネット本体の横幅の全長にわたって形成されていることを特徴とする箱体の収納機能付きキャビネット。
【請求項５】
請求項３又は４記載のキャビネットであって、物品載置部の載置面が、断面凹湾曲状に形成されていることを特徴とする箱体の収納機能付きキャビネット。
【請求項６】
請求項１乃至５の何れかに記載のキャビネットであって、箱体の長手方向の幅より大きく間隔を開けて物品収納部が前面の左右側に設けられ、この物品収納部の少なくとも一方の下側が箱体の収納部に形成されていることを特徴とする箱体の収納機能付きキャビネット。
【請求項７】
請求項１乃至５の何れかに記載のキャビネットであって、箱体の長手方向の幅より大きく間隔を開けて物品収納部が前面の左右側に設けられると共に、この物品収納部の間が棚を備えた物品収納部に形成され、この棚を備えた物品収納部の最下段の棚が、収納時の箱体の高さより高く位置決めされ、左右側の物品収納部の少なくとも一方の下側が箱体の収納部に形成されていることを特徴とする箱体の収納機能付きキャビネット。
【請求項８】
請求項１乃至５の何れかに記載のキャビネットであって、箱体の長手方向の幅より大きく間隔を開けて物品収納部が前面の左右側に設けられると共に、この物品収納部の間が棚を備えた物品収納部に形成され、この棚を備えた物品収納部の最下段の棚が着脱自在に形成され、左右側の物品収納部の少なくとも一方の下側が箱体の収納部に形成されていることを特徴とする箱体の収納機能付きキャビネット。
【発明の詳細な説明】
【技術分野】
【０００１】
本発明は、洗面化粧台や食器戸棚等のキャビネットに関し、更に詳しくはティッシュ箱等の箱体の収納機能付きキャビネットに関するものである。
【背景技術】
【０００２】
従来、この種のキャビネットとしては、例えば特許文献１に記載されている化粧台装置が知られている。
この従来品は、化粧台の外面部に、ティッシュ箱（ティッシュペーパーを取出口から一枚づつ引き出すことができるよう積層状に収納した箱）を納める凹設部を設け、この凹設部の開口面に、ティッシュ箱のペーパー取出口に対応する位置を開口した蓋状の固定部材を着脱自在に取り付けているものである。
【０００３】
従来品は、このように凹設部がティッシュ箱専用の収納スペースとして形成されていた。
従って従来品によると、通常、この凹設部にはティッシュ箱以外の小物を収納するのには適さず、ティッシュ箱以外の小物を収納するときは固定部材のペーパー取出用の口が目障りで、見栄えが悪いものであった。
また従来品は、上記の通り、ティッシュ箱を収納したり交換するとき、固定部材を着脱操作して行う必要があった。
従って従来品を使用すると、ティッシュ箱の交換等の操作が不便で、使い勝手が悪い、という問題点があった。
【特許文献１】特開昭５９−１５６５９４号公報
【発明の開示】
【発明が解決しようとする課題】
【０００４】
本発明は、このような従来の実情に鑑み、提案されたものである。
従って本発明の解決しようとする技術的課題は、ティッシュ箱以外の小物の収納にも適し、ティッシュ箱やキッチンペーパー収容箱等の箱体を収納したり交換するときはその操作を簡単化、迅速化でき、使い勝手が良くなるよう形成した箱体の収納機能付きキャビネットを提供することにある。
【課題を解決するための手段】
【０００５】
本発明は、上記の課題を解決するため、次のような技術的手段を採る。
即ち本発明は、図１等に示されるように、箱体１の収納部２を備えて形成されているキャビネットであって、上記の収納部２が、箱体１の収容物取出口１ａを前側にして箱体１を左右方向から差込み自在に、且つ箱体１の前方への移動を防止する係止部５を備えて形成されていることを特徴とする（請求項１）。
【０００６】
本発明のキャビネットは、洗面化粧台に限らず、台所やリビング用のキャビネットに実現されるのでも良い。収納部２の位置は、例えば洗面化粧台の場合は、洗面ボウルの上面と略同等の位置が良いが、これに限定されるものではない。ここで、箱体１とは、具体的にはティッシュ箱のほか、例えばキッチンペーパーやペーパータオル、或いは化粧時に使用するペーパー等の収容箱がある。本発明の場合、係止部５は、具体的には段差や、突起、突条などで実現される。
【０００７】
また本発明の場合、収納部２の底面部２ａは、収納状態の箱体１の収容物取出口１ａの位置より前方に突き出されて棚状に形成されているのが好ましい（請求項２）。
なぜならこれによると、箱体１の収納位置の前側に、他の小物を収納でき、収納スペースが増大し、使い勝手が良くなるからである。またこれによると、下側のキャビネット（例えば洗面ボウル４ａを備えた洗面台４）の上面の一部を利用することなく、収納部２の底面部２ａを他の金属材や木材等で形成でき、下側のキャビネットとは独立した状態の単独の製品として提供できるからである。
【０００８】
また本発明は、箱体１の収容物取出口１ａの前側にあたる収納部２の底面部２ａの位置が、凸段差状に立ち上げられると共に、左右方向に凹溝状に延びて物品載置部７に形成されているのが好ましい（請求項３）。
なぜならこれによると、物品載置部７の立ち上がり部分７ａを、箱体１の前方への移動を防止する係止部５として利用でき、また物品載置部７が凹溝状に形成されているため、収納物が前方に転がり落ちるのを防止できるからである。
【０００９】
またこの場合、本発明は、物品載置部７がキャビネット本体６の横幅の全長にわたって形成されているのが好ましい（請求項４）。
なぜならこれによると、載置面積が増え、例えば右利きでも左利きでも載置し易くなり、使い勝手が一層良くなるからである。
【００１０】
またこの場合、本発明は、物品載置部７の載置面が、断面凹湾曲状に形成されているのが好ましい（請求項５）。
なぜならこれによると、例えばへアピン等の収納物を手指で掻き出し易くなるからである。
【００１１】
また本発明のキャビネットは、図５に示されるように、箱体１の長手方向の幅より大きく間隔を開けて物品収納部８が前面の左右側に設けられ、この物品収納部８の少なくとも一方の下側が箱体１の収納部２に形成されているのが好ましい（請求項６）。
なぜならこれによると、左右の物品収納部８の間の中央部分９を利用して、箱体１を左右方向にスライドさせて差込み自在に収納でき、使い勝手が一層良くなるからである。
【００１２】
また本発明のキャビネットは、図６に示されるように、箱体１の長手方向の幅より大きく間隔を開けて物品収納部１０が前面の左右側に設けられると共に、この物品収納部１０の間が棚１１を備えた物品収納部１２に形成され、この棚１１を備えた物品収納部１２の最下段の棚１１ａが、収納時の箱体１の高さより高く位置決めされ、左右側の物品収納部１０の少なくとも一方の下側が箱体１の収納部２に形成されているのでも良い（請求項７）。
なぜならこれによると、図５に係る本発明品の場合と同様、左右側の物品収納部１０の間の箇所を利用して、箱体１を左右方向にスライドさせて差込み自在に収納でき、使い勝手が良いからである。
【００１３】
また本発明のキャビネットは、図７、図８に示されるように、箱体１の長手方向の幅より大きく間隔を開けて物品収納部１０が前面の左右側に設けられると共に、この物品収納部１０の間が棚１１を備えた物品収納部１２に形成され、この棚１１を備えた物品収納部１２の最下段の棚１１ａが着脱自在に形成され、左右側の物品収納部１０の少なくとも一方の下側が箱体１の収納部２に形成されているのでも良い（請求項８）。
なぜならこれによると、図６に係る本発明品の場合と同様、左右の物品収納部１０の間の箇所を利用して、箱体１を左右方向にスライドさせて差込み自在に収納でき、使い勝手が良いからである。
【発明の効果】
【００１４】
本発明は、このように箱体の収納部が、箱体の収容物取出口を前側にして箱体を左右方向から差込み自在に、且つ箱体の前方への移動を防止する係止部を備えて形成されているものである。
従って本発明の場合は、箱体を収納したり交換するとき、左右方向から箱体を収納部に差込むだけで済み、また収納部には箱体以外の小物を収納することもできる。それ故これによれば、箱体の収納や交換を簡単化、迅速化でき、使い勝手が良くなるものである。
【発明を実施するための最良の形態】
【００１５】
以下、本発明を実施するための最良の形態を説明する。
本発明は、図１等に示されるように、ティッシュ箱等の箱体１の収納部２を備えて形成されているキャビネットである。この実施形態の本発明品は、前面にミラー扉３が設けられ、洗面ボウル４ａを備えた洗面台４と組み合わされて洗面化粧台を構成するミラーキャビネットである。
【００１６】
上記の収納部２は、箱体１の収容物取出口１ａを前側にして箱体１を左右方向から差込み自在に、且つ箱体１の前方への移動を防止する係止部５を備えて形成されている。収納部２は、この実施形態ではミラー扉３を備えたキャビネット本体６の下側に設けられ、洗面ボウル４ａを備えた洗面台４と組み合わされたとき、使用者が無理なく箱体１から、収容物である例えばティッシュペーパー１ｂを引き出すことができる位置に配置されている。
【００１７】
また収納部２の底面部２ａは、収納状態の箱体１の収容物取出口１ａの位置より前方に突き出されて棚状に形成されている。この実施形態の場合、収納部２の底面部２ａと背面部２ｂは、押し出し成型されたアルミニウム材で形成されている。
【００１８】
またこの実施形態の場合、箱体１の収容物取出口１ａの前側にあたる収納部２の底面部２ａの位置は、凸段差状に立ち上げられると共に、左右方向に凹溝状に延びて物品載置部７に形成されている。この物品載置部７は、キャビネット本体６の横幅の全長にわたって形成されている。また物品載置部７の載置面は、この実施形態では収納物である、例えばへアピン等を手指で掻き出し易くなるよう、断面凹湾曲状に形成されている。
【００１９】
また上記の係止部５は、この実施形態では、物品載置部７の立ち上がり部分７ａと、キャビネット本体６の底面に形成されている、箱体１の係合凹部６ａの前側段差部分６ｂとで形成されている。
【００２０】
次に本発明品の使用例を説明する。
使用者は、図１に示されるように、箱体１を、収容物取出口１ａを前側にして収納部２に左右方向（この実施形態の場合は側方）から差込み、収納する。また箱体１を交換する場合は、側方にずらして引き出す。
【００２１】
この実施形態の本発明品の場合、箱体１は、係止部５としての立ち上がり部分７ａと段差部分６ｂとで前面の上下位置が係止される。従って箱体１は、使用者が収容物取出口１ａからティッシュペーパー１ｂを引き出しても、前方へ移動することなく、収納部２に保持される。
また本発明品は、箱体１の収納に代え、収納部２に小物を置いたり、或いは箱体１と一緒に、箱体１の横の収納部２の位置に小物を置いて使用することもできる。
【００２２】
以上の処において、本発明は、例えば図５に示されるように、箱体１の長手方向の幅より大きく間隔を開けて物品収納部８が前面の左右側に設けられ、この物品収納部８の少なくとも一方の下側が箱体１の収納部２に形成されているのでも良い。
この本発明の場合は、正面から見て右側の物品収納部８の底面は、箱体１の上部と係合可能な係合凹部６ａに形成され、右側の物品収納部８の下側が箱体１の収納部２に形成されている。また左右の物品収納部８の間の中央部分９には、ミラーが設けられている。
【００２３】
使用者は、この中央部分９を利用して、箱体１を右方向にスライドさせ、収納部２に差込む。この本発明の場合、箱体１は、右側の物品収納部８の下面の係合凹部６ａの段差部分６ｂに、前面の上部が係止されることにより、前方への移動が禁止される。
【００２４】
従って本発明の場合、係止部５は、箱体１の前面の上下位置を係止するよう形成される場合には限られない。また本発明の場合、収納部２の底面部２ａは、図５に示されるように、前後方向の全体が面一状に形成されているのでも良い。
【００２５】
また本発明は、図６に示されるように、形成されているのでも良い。
この本発明品は、箱体１の長手方向の幅より大きく間隔を開けて物品収納部１０が前面の左右側に設けられると共に、この物品収納部１０の間が棚１１を備えた物品収納部１２に形成され、この棚１１を備えた物品収納部１２の最下段の棚１１ａが、収納時の箱体１の高さより高く位置決めされ、左右側の物品収納部１０の少なくとも一方の下側が箱体１の収納部２に形成されているものである。
この本発明品の場合は、箱体１を中央の前側から最下段の棚１１ａの下側に差入れ、次にこの実施形態では右方向にスライドさせ、収納部２に差込む。なお本発明品の場合、左右、及び中央の物品収納部１０、１２の前面は、開放されているのでも、或いはミラー付きの扉等で塞がれているのでも良い。
【００２６】
また本発明は、図７、図８に示されるように形成されているのでも良い。
この本発明品は、図６に示される本発明品と同様、左右と中央の箇所に物品収納部１０、１２が設けられ、棚１１を備えた物品収納部１２の最下段の棚１１ａが、図８に示されるように、着脱自在に形成され、左右側の物品収納部１０の少なくとも一方の下側が箱体１の収納部２に形成されているものである。
この本発明品の場合は、同図に示されるように、最下段の棚１１ａを持ち上げることにより、箱体１を中央の前側から差入れ、次にこの実施形態では右方向にスライドさせて差込み、右側の物品収納部１０の下側の収納部２に箱体１を収納して使用するものである。
以上の処において、図５〜図７に示されるキャビネットの場合は、物品収納部８、１０が左右両側に設けられるのに代え、左側或いは右側のみに物品収納部８、１０が設けられているのでも良い。
【図面の簡単な説明】
【００２７】
【図１】本発明のキャビネットの好適な一実施形態を示す要部斜視図である。
【図２】同上キャビネットの要部側面図である。
【図３】同上キャビネットの斜視図である。
【図４】同上キャビネットの正面図である。
【図５】同上キャビネットの他の実施形態を示す斜視図である。
【図６】同上キャビネットの他の実施形態を示す正面図である。
【図７】同上キャビネットの更に他の実施形態を示す斜視図である。
【図８】図７のキャビネットの要部斜視図である。
【符号の説明】
【００２８】
１      箱体
１ａ    収容物取出口
２      収納部
５      係止部
【図１】
2010142396.tif 000003
【図２】
2010142396.tif 000004
【図３】
2010142396.tif 000005
【図４】
2010142396.tif 000006
【図５】
2010142396.tif 000007
【図６】
2010142396.tif 000008
【図７】
2010142396.tif 000009
【図８】
2010142396.tif 000010